(57)【特許請求の範囲】
【請求項１】
可溶性鉛と、コロイド状鉛と、不溶性鉛とを含む液体から前記鉛を除去するためのフィルタであって、
流入する液体を受容し、そしてろ過メディアを固定して前記液体に導くための容器と、
前記液体から可溶性鉛をろ過するための第１ろ過メディアと、
前記第１ろ過メディアの下流側に隣接しそして流体連結状態にある、液体から残りの可溶性鉛をろ過するための第２ろ過メディアと
から構成され、
コロイド状鉛を捕捉するために、前記第１および第２ろ過メディアが、前記第１ろ過メディアに対面する第２ろ過メディアの面上に位置する中間部にコロイド状鉛のための物理的障壁を作り出し、
前記コロイド状鉛が液体に可溶性となるまで前記中間部に保持され、該可溶性となった鉛は中間部を通過しそして前記第２ろ過メディアにより取り除かれる、
フィルタ。
【請求項２】
前記可溶性およびコロイド状鉛は有機汚染物質、または無機汚染物質を含む、請求項１に記載のフィルタ。
【請求項３】
前記ろ過メディアの１つとしてフィブリル化ナノ繊維を有することを含む、請求項１に記載のフィルタ。
【請求項４】
前記フィブリル化ナノ繊維はセルロースまたはアクリル組成物を含む、請求項３に記載のフィルタ。
【請求項５】
前記フィブリル化ナノ繊維は少なくとも１つのろ過物質のプリーツ状シートを構成する、請求項３に記載のフィルタ。
【請求項６】
前記ろ過メディアの１つとしてイオン交換ビーズを有することを含む、請求項１に記載のフィルタ。
【請求項７】
前記コロイド状粒子を捕捉するために前記中間部に配置された第３ろ過メディアを含む、請求項１に記載のフィルタ。
【請求項８】
前記第３ろ過メディアはポリマー処理されたろ過物質を含む、請求項７に記載のフィルタ。
【請求項９】
前記第３ろ過メディアはフィブリル化ナノ繊維を含む、請求項７に記載のフィルタ。
【請求項１０】
前記フィブリル化ナノ繊維は粉状のイオン交換樹脂、酸化金属、または水酸化金属のメディアを詰め込まれる、請求項９に記載のフィルタ。
【請求項１１】
詰め込みされたナノ繊維はナノ繊維表面に電気的相互作用または物理的吸着により前記メディアを付着されることを含む、請求項１０に記載のフィルタ。
【請求項１２】
６．５から８．５のｐＨを有する液体から可溶性鉛、不溶性鉛およびコロイド状鉛の粒子を取り除くためのフィルタであって、
流入する液体を受容し、そしてろ過メディアを固定して前記液体に導くための容器と、
前記液体から可溶性鉛をろ過するための、イオン交換ビーズを含む第１ろ過メディアと、
フィブリル化ナノ繊維を含む前記第１ろ過メディアの下流側に隣接しそして流体連結状態にある、液体から残りの可溶性鉛をろ過するための第２ろ過メディアと
から構成され、
コロイド状鉛の粒子を捕捉するように前記第１および第２ろ過メディアが、前記第１ろ過メディアの下流側に対面する第２ろ過メディアの面上に位置する中間部に物理的コロイド状鉛に対する障壁を作り出し、
前記コロイド状鉛の粒子が可溶性となって液体により吸収されるまで前記中間部に保持され、該液体に吸収された可溶性鉛は中間部を通過しそして第２ろ過メディアにより前記液体から取り除かれる、
フィルタ。
【請求項１３】
前記コロイド状鉛の粒子を捕捉するように前記中間部に配置された第３ろ過メディアを含む、請求項１２に記載のフィルタ。
【請求項１４】
前記第３ろ過メディアはポリマー処理されたろ過物質を含む、請求項１３に記載のフィルタ。
【請求項１５】
前記第３ろ過メディアはフィブリル化ナノ繊維を含む、請求項１３に記載のフィルタ。
【請求項１６】
６．５から８．５のｐＨを有する液体から可溶性鉛、コロイド状鉛および微粒子状鉛を除去する方法であって、
可溶性鉛、コロイド状鉛および微粒子状鉛を含む液体の流動路に第１ろ過メディアを導入し、
第１ろ過メディアにより前記液体から可溶性鉛を除去し、
前記液体の流動路において、前記第１ろ過メディアの下流側に対面する第２ろ過メディアの面上に位置する中間部領域で微粒子状鉛およびコロイド状鉛の粒子を捕捉し、そして該捕捉した微粒子状鉛およびコロイド状鉛の粒子を液体に可溶性となるまで保持し、そして
前記第２ろ過メディアにより前記可溶性となった鉛を前記液体から除去する
ことから構成される、方法。
【請求項１７】
前記第１および第２ろ過メディア間に隣接して配置された第３ろ過メディアで微粒子状鉛またはコロイド状鉛の粒子或いはその両者を捕捉することを含み、前記第３ろ過メディアは微粒子状鉛またはコロイド状鉛の粒子或いはその両者を捕捉するための中間部領域を形成する、請求項１６に記載の方法。
【請求項１８】
前記ろ過メディアの１つとして粉状材料を有することを含む、請求項１に記載のフィルタ。
【請求項１９】
前記ろ過メディアの１つとして樹脂を有することを含む、請求項１に記載のフィルタ。
【請求項２０】
前記ろ過メディアの１つとして吸収性物質を有することを含む、請求項１に記載のフィルタ。
【請求項２１】
前記ろ過メディアの１つとしてゼオライトを有することを含む、請求項１に記載のフィルタ。
【請求項２２】
前記ろ過メディアの１つとして炭素を有することを含む、請求項１に記載のフィルタ。
【請求項２３】
前記ろ過メディアは樹脂を含む、請求項１２に記載のフィルタ。
【請求項２４】
前記ろ過メディアは粉状体を含む、請求項１２に記載のフィルタ。
【発明の詳細な説明】
【技術分野】
【０００１】
本発明は、液体中の可溶性およびコロイド状、非溶解粒子を除去するためのフィルタに関する。特に、本発明は、可溶性および不溶性鉛の液体からの除去に関し、より明確には、ろ過メディアの１つとしてフィブリル化ナノ繊維を用いた可溶性および不溶性鉛の高ｐＨの液体からの除去に関する。
【背景技術】
【０００２】
或る水処理法では、溶解および懸濁またはコロイド状物質を共に取り除く必要性により特徴づけられている。多くの消費者製品で用いられているが、鉛は吸入されたり摂取されたりすると人間の健康に有害な毒性金属であることは知られている。鉛汚染の重大な源は、周囲を取り巻く空気、汚れや塵埃（家の内外での）、食物（空気中や食品容器の鉛により汚染される）、および水（配管の腐蝕から）を含む。イオン交換樹脂のような物質や逆浸透膜は、溶解したイオン性化学種を効果的に減少するかまたは完全に取り除く。高ｐＨの微粒子状鉛は主にコロイド状炭酸鉛として存在する。これらのコロイド状微粒子の固体は、ろ過メディアが圧力差にも適応できる十分に細かいメッシュを設ける場合、物理的に取り除くことができる。
【０００３】
飲料水に許容される汚染物質の量を規定する規格が仕上げられて公布されている。例えば、そのような規格の１つは、ＮＳＦ／ＡＮＳＩ５３「飲料水処理ユニット−健康効果」である。これは、公共または私用の水供給において一定の健康関連汚染物質を減少するように意図された、飲料水処理システムの使用時および導入時の物質、設計、構造、および性能に関する最小限の要求を制定するＮＳＦ国際規格および米国標準規格である。この規格は、その他の関連する規格およびプロトコルと同様に、飲料水中の鉛を含む汚染物質の量を管理し、このような汚染物質を除去または減少するように意図された水フィルタの効果に関する基準を提供する、これらの汚染物質の除去のための試験プロトコルを管理する。
【０００４】
例えば、ＮＳＦ必要条件に従うと、総鉛についての流入課題は０．１５ｍｇ／Ｌまたは１５０ｐｐｂであり、その３０％または５０ｐｐｂが総微粒子状鉛であり、そして総微粒子状鉛の２０％または１０ｐｐｂは０．１ミクロンと１．２ミクロンの間の寸法の純粋な鉛である。最大流出鉛濃度は０．０１０ｍｇ／Ｌである。総鉛必要条件は鉛ｐＨ６．５および鉛ｐＨ８．５減少試験に適用できる。鉛微粒子および純粋鉛値は鉛ｐＨ８．５試験のみに関する最大値である。本発明の明細書に述べられるフィルタは、飲料水中の鉛の減少のためのＮＳＦまたはその他の同様な基準課題必要条件に合致することができる。
【０００５】
多年にわたって、流れを改善してベッドまたはプレコートの表面における圧力差を減少するフィルタとしてセルロースのような繊維が用いられてきた。繊維は、特にイオン交換樹脂のような荷電物質と一緒に用いられると、コロイド状物質の除去を劇的に改善する。１９８０年２月２６日にハーブフォスター（Halbfoster）に発行された米国特許第４，１９０，５３２号「荷電ろ過助力物質およびイオン交換ベッド」は、最初に、荷電イオン交換樹脂と処理済セルロース繊維のような荷電フィルタ助力物との組合せによる相乗作用効果を記載している。この特許に実施される発明は今では、発電装置に高品質凝縮水を処理するような適用形態で商業的に広範に用いられている。
【０００６】
より最近の、２００５年３月２９日にコスロー（Koslow）に発行された米国特許第６，８７２，３１１号「ナノ繊維ろ過メディア」は、強化ろ過メディアとしてナノ繊維を用いることが記載されている。この特許は、フィブリル化と称される物理的処理がセルロース繊維のような標準的なろ過メディアの性能を強めることを教示している。さらにこの特許はまた、ナノ繊維と結合された改良された空気ろ過メディアを作成する方法を教示している。この方法はまた活性炭と組み合わされてろ過目的のために商業化されている。
【０００７】
飲料水から鉛を除去するろ過装置の性能を評価して認証する、例えば、ＮＳＦインターナショナル、ＵＬ、およびＷＱＡのような多くの独立機関がある。総体的に、それらの認可シールが装置や製品梱包に呈示されている。これらの機関からの新しい試験基準は高ｐＨ液体中の鉛の除去を要求している。
【先行技術文献】
【特許文献】
【０００８】
【特許文献１】米国特許第４，１９０，５３２号明細書
【特許文献２】米国特許第６，８７２，３１１号明細書
【発明の概要】
【発明が解決しようとする課題】
【０００９】
本発明は従来技術の問題および欠点を勘案してなされたものであり、それ故、本発明の目的は、可溶性、コロイド状、および不溶性粒子を液体から取り除くためのフィルタを提供することである。
【００１０】
本発明の別の目的は、高ｐＨ液体環境中の可溶性、コロイド状、および不溶性物質を取り除くためのフィルタを提供することである。
【００１１】
本発明のまた別の目的は、ろ過メディアの１つとしてフィブリル化ナノ繊維を用いて高ｐＨ液体環境中の可溶性、コロイド状、および不溶性物質を取り除くためのフィルタを提供することである。
【００１２】
本発明の別の目的は、液体から可溶性、コロイド状、および不溶性鉛を取り除いて飲料水仕様に処理するためのフィルタを提供することである。
【００１３】
本発明の別の目的は、高ｐＨ液体から可溶性、コロイド状、および不溶性鉛を取り除くのに用いるための、プリーツ状シートに形成されたフィブリル化ナノ繊維のろ過メディアを有するフィルタを提供することである。
【００１４】
本発明のさらに別の目的および利点は、本明細書から明らかとなり、明らかにされる。
【課題を解決するための手段】
【００１５】
当業者にとって明らかである上述およびその他の目的は本発明において達成され、第１の観点では、液体から可溶性、コロイド状、および不溶性物質を取り除くためのフィルタを指向しており、流入する液体を受容し、そしてろ過メディアを固定して液体に導くための容器と、液体から可溶性物質をろ過するための第１ろ過メディアと、第１ろ過メディアに隣接しそして流体連結状態にある、液体から可溶性物質をろ過するための第２ろ過メディアとから構成され、コロイド状粒子を捕捉するために第１および第２ろ過メディアがそれらの中間部にコロイド状物質のための物理的障壁を作り出し、コロイド状粒子が液体に可溶性となるまで前記中間部に保持され、該中間部を通過し、そして第２ろ過メディアにより取り除かれる。
【００１６】
可溶性およびコロイド状物質は鉛、有機汚染物質、または無機汚染物質を含み得る。ろ過メディアは、ろ過メディアの１つとしてフィブリル化ナノ繊維からなり得る。ろ過メディアはイオン交換ビーズ、粉状体、樹脂、吸収性物質、ゼオライト、または炭素を含み得る。
【００１７】
コロイド状および不溶性粒子を捕捉するために前記中間部に配置された第３ろ過メディアが用いられ得る。
【００１８】
第２の観点では、本発明は、高ｐＨ液体から可溶性、、不溶性、およびコロイド状鉛粒子を取り除くためのフィルタを指向しており、流入する液体を受容し、そしてろ過メディアを固定して液体に導くための容器と、液体から可溶性鉛をろ過するための、イオン交換ビーズ、樹脂または粉状体を含む第１ろ過メディアと、フィブリル化ナノ繊維を含む第１ろ過メディアに隣接しそして流体連結状態にある、液体から可溶性鉛をろ過するための第２ろ過メディアとから構成され、コロイド状鉛粒子を捕捉するために第１および第２ろ過メディアがそれらの中間部に物理的コロイド状鉛障壁を作り出し、コロイド状鉛粒子が可溶性となって液体により吸収されるまで前記中間部に保持され、かくして該中間部を通過し、そして第２ろ過メディアにより液体から取り除かれる。
【００１９】
第３の観点では、本発明は、高ｐＨ液体から可溶性および微粒子状鉛を除去する方法を指向しており、可溶性および微粒子状鉛を含む液体の流動路に第１ろ過メディアを導入し、第１ろ過メディアにより液体から可溶性鉛を除去し、液体の流動路に第２ろ過メディアが導入されている中間部領域で微粒子状鉛粒子を捕捉しそして捕捉した微粒子状鉛粒子を液体に可溶性となるまで保持し、そして第２ろ過メディアにより可溶性鉛を液体から除去することから構成される。
【００２０】
第４の観点では、本発明は、粒子除去のためのろ過メディアとしてフィブリル化ナノ繊維を用いる方法を指向しており、複数のフィブル化ナノ繊維を用意し、再分されたメディアをフィブリル化ナノ繊維に詰め込み、フィブリル化ナノ繊維をプリーツ状シートに形成し、そして少なくとも１枚のプリーツ状シートをフィルタカートリッジに組み込むことから構成される。
【００２１】
第５の観点では、本発明は、粒子除去のためのろ過メディアとしてフィブリル化ナノ繊維を用いる方法を指向しており、複数のフィブリル化ナノ繊維を用意し、再分されたメディアをフィブリル化ナノ繊維に詰め込み、詰め込まれたナノ繊維をろ過メディアのためのプレコートろ過層として用いることから構成される。
【００２２】
第６の観点では、本発明は、原子力発電プラントプロセスにより生じる廃棄物の粒子除去のためのろ過メディアとしてフィブリル化ナノ繊維を用いる方法を指向しており、複数のフィブリル化ナノ繊維を用意し、再分されたメディアをフィブリル化ナノ繊維に詰め込み、フィブリル化ナノ繊維をプリーツ状シートに形成し、原子力発電プラントの廃棄物またはその他の流れからコロイド状遷移金属化学種を取り除くように少なくとも１枚のプリーツ状シートをフィルタカートリッジに組み込み、フィルタカートリッジを原子力発電プラントからの処理廃棄物のラインに配置することから構成される。
【００２３】
本発明の特色は新規であると信ずるものであり、本発明が特徴とする構成は特に特許請求の範囲に述べられている。添付の図面は例示目的のみであり、縮尺を無視して描かれている。本発明は、しかしながら、構成と作動の方法共、添付の図面を参照して述べる詳細な説明を参照することにより最もよく理解される。
【図面の簡単な説明】
【００２４】
【図１】図１の（Ａ）は、可溶性および不溶性コロイド状物質を液体から取り除くための二重プリーツ状メディアフィルタの断面図であり、図１の（Ｂ）は、コロイド状鉛粒子がろ過メディアを通る流れから直接捕捉されるフィルタ領域を中間部で描いた図１のろ過メディアの拡大図である。
【図２】図２は、可溶性および不溶性コロイド状物質を液体から取り除くための３つのフィルタ領域を描いた図１のろ過メディアの断面図である。
【図３】図３は、可溶性およびコロイド状物質を液体から除去するための三重ろ過メディア断面図である。
【図４】図４は、１０個のろ過システムと２つの制御ユニットに関する２リットル流動後の鉛微粒子測定値を示す表である。
【図５】図５は、１０個のろ過システムと２つの制御ユニットに関する４リットル流動後の鉛微粒子測定値を示す表である。
【図６】図６は、平均総微粒子鉛減少効果、対、平均流動細孔直径のグラフである。
【図７】図７は、流出総微粒子濃度、対、平均流動細孔直径のグラフである。
【発明を実施するための形態】
【００２５】
本発明の好適な実施形態の説明において、添付図面の図１〜７に付されている参照符号は、本発明の同様な特色箇所に同様な符号が用いられている。
【００２６】
本願で用いられるような、「ナノ繊維」は４０ミクロン以下、そして好ましくは１０ミクロン以下の直径を有するコア繊維を意味する。フィブリル化は、好ましくは１ミクロン以下の直径を有し、主またはコア繊維に付着されたナノ繊維からなる純粋テンドリル（tendrils）を生成するように企図される物理的処理を意味する。
【００２７】
フィブリル化ナノ繊維は、所定の水処理適用形態において前もって予期されない利益を提供する。ナノ繊維フィブリル化工程の出発材料としてセルロースやアクリルのような標準的な繊維タイプが使用され得る。ナノ繊維フィブリル化工程において、使用されるコア繊維は長さ３．５ｍｍ程度であるのが好ましいが、いくつかの適用形態にあってはより小さな長さであるのが好ましく、そしてコア繊維から延びる多くの純粋テンドリルを設けるようにフィブリル化される。
【００２８】
フィブリル化ナノ繊維は、シートまたはプリーツ状薄膜のようなその他の有用な形体に作成されるかまたはさらに処理されるように用いられる。このシートは、次いで、流体通過形体に積層、巻付け、または組立てされる。プリーツ状薄膜は、単体でまたはその他の物質と組み合わされてカートリッジ・フィルタを作成またはさらに組み立てられるように利用される。
【００２９】
フィブリル化ナノ繊維は、現在、水処理適用形態に用いられているその他の物質と組み合わせて用いられるとき、重要な性能上の利点を提供する。フィブリル化繊維の特有な構造は、現在の技術で達成できるよりも相当に高いこれらの水処理物質の負荷を可能にする。負荷する物質は荷電または中性化学種であり得る。限定するものではないが、これらの物質の例は、合成有機および無機イオン交換体、ゼオライト、炭素、吸収性物質、および酸化チタンのような酸化金属、水酸化金属、およびその他のろ過助力物を含む。
【００３０】
フィブリル化ナノ繊維のプリーツ状シートは、水差し、ポスト・オブ・ユース（ＰＯＵ）容器、またはポイント・オブ・エントリ（ＰＯＥ）容器に用いられるような小さなカートリッジに組み込むことができる。これらの実施例は飲料水および加工水適用形態に採用することができる。フィブリル化ナノ繊維形態は、特に、コロイド状粒子に対して、水力学的特性または有効寿命を犠牲にすることなしに、より良好にろ過できる。このタイプの使用の主な例は、コロイド状鉛を除去するように飲料に適した水に処理することであり、その手順は従来の商用技術では困難であるかまたは達し得ないのと同等である。鉛汚染物の除去がここに述べられるが、本発明はいかなる特定の汚染物にも限定されるものではなく、そして非コロイド状粒子と同様に、可溶性およびコロイド状の状態で存在するその他の汚染物にも採用し得ることに注目すべきである。鉛汚染物除去は例証的な例として述べられている。
【００３１】
コロイド状鉛の除去に対する要求は、最近のＮＳＦ鉛プロトコルにより一部命令されており、それは高ｐＨ被処理供試水と同様に低ｐＨ被処理供試水における鉛の除去を要求している。ＮＳＦ／ＡＮＳＩプロトコルは産業における飲料水の汚染物除去に関する政府管理手順であるが、手順に留まるものではなく、本発明はＮＳＦ／ＡＮＳＩ規格と異なった或いは多かれ少なかれ厳重なその他の汚染物除去プロトコルに適合するように合わせることができる。
【００３２】
政府管理のＮＳＦ試験において、被処理供試水に約１０億分の１００（ｐｐｂ）の可溶性鉛が入れられる。鉛粒子サイズは０１から１．２ミクロン程度である。通常、約１ミクロンまたはそれ以下の粒子は懸濁状態で残っている。好適な実施形態では、図１に示すように、２つのろ過メディア１２、１４から構成されるフィルタ１０が導入される。例示の目的のためにプリーツ状フィルタが示されているが、本発明はその他のろ過メディア形状または構成を制限するものではない。本発明はこれに限定されるものではないが、ＮＳＦ要求条件に適合させる被処理供試水は、例示のもののような重力流動モデルを使用して、被処理供試水から可溶性鉛を優位に除去できる適当な物質である第１ろ過メディア１４に流れる。ＮＳＦ被処理供試水が第１メディア１４と第２メディア１２の間の中間部１８を通過すると、２つのろ過メディア間の区画は微粒子状鉛２０の移動を阻止し、そして微粒子鉛２０が第２メディア１２を通過してしまうのを妨げる。微粒子状またはコロイド状鉛２０は中間部１８に捕捉される。微粒子状またはコロイド状鉛２０の性質は最終的に可溶性溶液中に吸収されることによって変化する。その結果、中間部１８に捕捉された微粒子状鉛のすべてが被処理供試水に吸収されるまでコロイド状鉛を可溶性化することにより被処理供試水は鉛を溶解されることになる。好ましくは、ろ過メディア１４は、主として物理的（コロイド状）鉛粒子を阻止するようには企図されないので、非物理的ろ過メディアである。このようなろ過メディアは含浸紙から形成され得るが、ろ過メディアが優位に可溶性ろ過メディアを提供するようなその他の形体のろ過メディアも使用し得る。
【００３３】
図１の（Ａ）の拡大図に示すように、中間部１８には、ろ過メディア１２を通る流れから不溶性およびコロイド状粒子が直接捕捉されるろ過区域２２が形成されている。このろ過区域２２に、可溶性およびコロイド状鉛の組合せが存在する。コロイド状鉛は流過する供試水に吸収されるので、ろ過メディア１２が可溶性鉛を取り除く中間部１８を通過する。
【００３４】
この方法において、図２に示すように、２層ろ過メディア３０の３次元断面図は３領域フィルタを形成する。第１フィルタ領域３２において、被処理供試水が導かれ、炭素、イオン交換ビーズ、フィブリル化ナノ繊維、およびその他の適切に実行するろ過メディアのような固定されたろ過助力物を含む含浸紙の可溶性鉛ろ過メディアが、被処理供試水から可溶性鉛を可能な限り除去する。フィルタ領域３４において、鉛粒子は第１ろ過メディア３１と第２ろ過メディア３６の間の中間部で捕捉される。２つのろ過メディア間の中間部は鉛の物理的成分を阻止する必要がある。捕捉されると、物理的鉛粒子はフィルタ領域３４内で流動する被処理供試水に分解または溶解するまで中間部に残る。捉えられていた鉛粒子が流動する被処理供試水に完全に吸収されると、第３フィルタ領域を効果的に形成する第２ろ過メディア３６は残された可溶性鉛を譲許するように作用する。
【００３５】
別の実施形態において、図３に示すように、３次元断面図はフィルタ領域３４が存在するところに挿入されたろ過メディア３８を示している。フィルタ３８の表面は第２ろ過メディア３６の表面を取り替える。フィルタ３８はそのとき新しい中間部となり、そしてフィルタ３８上に延びるフィルタ領域となる。フィルタ３８は、物理的鉛粒子の捕捉をより効果的に促進しそして流動する被処理供試水への鉛粒子の吸収を強めるようにポリマー処理ろ過メディア、またはそれに類似するもので形成される。
【００３６】
一般的に、可溶性鉛を含む低ｐＨ被処理供試水は、イオン交換ビーズのような一定のろ過メディアによって十分に除去される可溶性鉛を有する。それに対し、イオン交換ビーズ、樹脂、または粉状体は高ｐＨ被処理供試水からの可溶性鉛の除去には有効ではない。しかしながら、新しいＮＳＦ試験プロトコルは、高ｐＨ（６．５ｐＨおよび８．５ｐＨ）被処理供試水における許容鉛微粒子レベルを定義している。本発明の高ｐＨ鉛フィルタは、他の従来技術のろ過メディアでは厳格なＮＳＦ規格を達成できなかった高ｐＨ被処理供試水から可溶性鉛を確実に除去する。イオン交換ビーズ、樹脂、または粉状体の第１ろ過メディアは、ろ過メディア中間部で鉛の物理的コンポーネントを阻止し、最終的に流体に吸収して第２ろ過メディアにより除去するための中間フィルタ領域を作るように形成された、含浸紙、フィブリル化ナノ繊維、またはその類似物の第２ろ過メディアと組み合わされて、ＮＳＦプロトコルに従って高ｐＨ溶液から可溶性および不溶性鉛を確実に取り除く。
【００３７】
フィブリル化ナノ繊維のプリーツ状シートは、上述したような少なくとも１つの３領域のメディアの構成を含む、液体および気体のろ過の適用例に適している。
【００３８】
〔微粒子状鉛減少試験〕
１０個のシステムが鉛減少についてテストされた。フィルタは、平均流動細孔直径０．２６ミクロンから２．６ミクロンまで変化するナノ繊維で作成されたろ紙を有する。鉛溶液はＮＳＦｐＨ８．５鉛規格に従った。４リットルの溶液が重力流動で引き入れられ、流出物が集められ、そしてＮＳＦプロトコルに従って鉛濃度が測定された。
【００３９】
１０個のシステムの全てにおいて、溶液の全可溶性鉛部分は影響されなかった。微粒子状部分は影響され、そして平均流動細孔直径が減少するとき粒子減少効率は増加した。本発明のフィルタの平均流動細孔直径は約１．２ミクロンまたはそれ以下であるのが好ましい。ＮＳＦプロトコルは、最大１０億分の１０（ｐｐｂ）の鉛流出濃度を許容している。１．２ミクロンの平均流動細孔寸法を有するフィルタは全体で６ｐｐｂと１０ｐｐｂの間の微粒子状鉛の流出を示した。
【００４０】
その結果は、１．２ミクロン以下の平均流動細孔直径を有するフィルタを使用するとき、本発明のフィルタを用いて総鉛微粒子が１０ｐｐｂ以下に減少したことを示した。この減少は細孔寸法が減少するとき増大された。
【００４１】
図４は、１０個のフィルタシステムと２つの制御ユニットについて２リットル流動させたのちの鉛微粒子の測定値の表を示している。図５は、４リットル流動させた後の同様な値の表を示している。図示のように、鉛微粒子減少は平均流動細孔直径が減少するとき増大した。さらに、減少効率はより多くの水フィルタをが通過するとき増大し、そのことはまた、鉛微粒子がろ過メディアの表面に阻止されるので、総有効細孔寸法の減少の結果である。
【００４２】
図６は、平均流動細孔直径に対する平均総微粒子状鉛減少効率のグラフを示す。予想されるように、減少効果は細孔寸法の増加に伴って減少する。図７は平均流動細孔直径に対する流出総微粒子濃度のグラフを示す。廃水中における総微粒子濃度は細孔直径が増大すると増加する。試験データによって支持されるように、総流出鉛濃度は、平均流動細孔直径が約１．２ミクロンまたはそれ以下になると、１０ｐｐｂ以下に低下する。約０．５から０．７ミクロンの細孔寸法が効果的であり、そしてＮＳＦ規格に十分に合致しかつ凌駕することが示された。このことは、鉛吸収メディア、イオン交換メディア、またはそれらの類似物で廃水の可溶性部分のほぼ１００％を除去できることを保証している。加えて、鉛吸収物質またはイオン交換メディアは含浸紙自体に直接導き入れられ、その後のろ過メディアによって除去するように廃水中の微粒子状部分の相当量を可溶性鉛にさらに変換することにより総微粒子状鉛の減少を増加する。
【００４３】
フィブリル化ナノ繊維メディアを含むろ過メディアは、粉状のイオン交換樹脂、吸収物質、炭素、またはそれらの類似物からなる細かく再分されたメディアをさらに「詰め込み」得る。これに関連して、「詰め込み」は、ナノ繊維の表面への電気的相互作用、物理的吸着、またはそれらの類似作用を備えた綿状沈殿を意味することができる。いずれかケースにおいて、フィブリル化ナノ繊維は重要な、より大きな表面領域とより狭い細孔寸法を提供する。後者の組合せは、特にコロイドのような小さな粒子に対して、差圧における典型的な有害な影響なしに、より良好なろ過を提供する。
【００４４】
繊維、陽イオン交換樹脂、陰イオン交換樹脂、および／または炭素、ゼオライト、およびそれらの類似物のようなその他の吸収物質を含む従来の綿状沈殿製品の性能は、水理特性と運用能力の両者によって制限される。典型的な短繊維のためにフィブリル化ナノ繊維を代用することは、繊維へのイオン交換樹脂のより良好な詰め込みについてより低い差圧およびより高い運用能力により利用性を高める。
【００４５】
フィブリル化ナノ繊維への吸収詰め込みの場合、イオン交換樹脂、陰イオン交換樹脂、吸収物質、または追加のろ過助力剤の量は、典型的な綿状沈殿または吸収に許容されるもの以上に増加する。より大きな詰め込みは、同様に、より高い能力およびより良好な汚染物質除去を提供する。さらに、詰め込み能力の増大は、従来の慣用の３工程よりも１または２工程で綿状沈殿タイプの製品を製造するのを容易にする。
【００４６】
フィブリル化ナノ繊維の優れたろ過特性は水成溶液からのコロイド状粒子の大きく改善された除去を提供する。本発明のフィルタのろ過メディアの１つとしてフィブリル化ナノ繊維を用いることは、コロイド状鉛粒子を中間部で捕捉し、そしてろ過メディアを通過するときに可溶性鉛を除去することを助ける。このろ過メディアの別の実施形態において、フィブリル化ナノ繊維はシート状またはプリーツ状の薄膜に組み込み得る。
【００４７】
別の実施形態において、フィブリル化ナノ繊維は原子力発電プラントの廃棄物またはその他の流れからコロイド遷移金属化学種を除去するように用いられ得る。放射性があり、そして通常、「放射性廃棄物」と称されるものの処理において非常に厄介である、コバルト、鉄、セシウム、アンチモン、ニッケル、銅、およびそれらの類似物のコロイド状物は、実施されるろ過メディアにフィブリル化ナノ繊維を組み合わせることで、廃棄する前に取り除き得る。このろ過処理に用いられるフィブリル化繊維はまた、イオン交換特性を付加されたり、前述したその他の吸収物質を詰め込んだりして設けられ得る。
【００４８】
本発明は、特定の好適な実施形態と逸書に詳細に述べられたが、当業者にとって、上述の説明に照らして多くの互換、変形および変更が行われ得ることは明らかである。それ故、いかなるこのような互換、変形および変更も添付の請求の範囲は本発明の範囲および主旨の内にあることは考慮されるべきである。
【符号の説明】
【００４９】
１０    フィルタ
１２    第２ろ過メディア
１４    第１ろ過メディア
１８    中間部
２０    微粒子状鉛
２２    ろ過区域
３０    ２層ろ過メディア
３２    第１フィルタ領域
３４    第２フィルタ領域
３６    第２ろ過メディア
３８    ろ過メディア
【図１】
0005559683.tif 000002
【図２】
0005559683.tif 000003
【図３】
0005559683.tif 000004
【図４】
0005559683.tif 000005
【図５】
0005559683.tif 000006
【図６】
0005559683.tif 000007
【図７】
0005559683.tif 000008